(57)【特許請求の範囲】
【請求項１】
原稿を照明する照明系と、
該照明系で照明された原稿からの反射光を結像させる結像素子と、
該結像素子で結像された原稿像を画像信号に光電変換する受光素子と、
該受光素子からの画像信号にフィルタ処理を行う画像処理部とを有する画像読取装置において、
前記照明系または前記結像素子を用いた結像光学系の任意の光路中に、前記反射光を少なくとも３種類の波長領域に色分解する色分解手段を有し、
前記画像処理部は、前記画像信号を輝度／色差信号または明度／色度信号に変換してフィルタ処理を行う画像処理機能を有し、
前記結像素子は、下記（１）及び（２）式を満足することを特徴とする画像読取装置。
０．００２６    ≦  ｜ｆ−ｆｅ｜／ｆｅ        （１）式
｜ｆ−ｆｅ｜／ｆｅ  ＜  ０．００４５          （２）式
（但し、
ｆ    ：  Ｃ線（６５６．２７ｎｍ）またはＦ線（４８６．１３ｎｍ）における焦点距離、
ｆｅ  ：  基準波長ｅ線（５４６．０７ｎｍ）における焦点距離である。）
【請求項２】
請求項１に記載の画像読取装置において、前記結像素子は、物体側から順に正のパワーの第１レンズ、負のパワーの第２レンズ、正のパワーの第３レンズ、負パワーの第４レンズで構成されていることを特徴とする画像読取装置。
【請求項３】
請求項２に記載の画像読取装置において、前記結像素子は、第１レンズは、物体側に凸面を向けたメニスカス形状、第２レンズは両凹レンズ、第３レンズは両凸レンズ、第４レンズは物体側に凹面を向けたメニスカス形状で、第２レンズと第３レンズの間に絞りを有することを特徴とする画像読取装置。
【請求項４】
請求項２または３に記載の画像読取装置において、前記結像素子は、下記（３）式及び（４）式の何れをも満足することを特徴とする画像読取装置。
０.０５    ＜  ｎ凸−ｎ凹    ＜  ０.２５        （３）式
２５.０    ＜  ν凸−ν凹    ＜  ３６.５        （４）式
（但し、
ｎ凸  ：  正レンズ(第１レンズ、第３レンズ)のｄ線（５８７．５６ｎｍ）における屈折率の合計、
ｎ凹  ：  負レンズ(第２レンズ、第４レンズ)のｄ線（５８７．５６ｎｍ）における屈折率の合計、
ν凸  ：  正レンズ(第１レンズ、第３レンズ)のｄ線（５８７．５６ｎｍ）におけるアッベ数の合計。
ν凹  ：  負レンズ(第２レンズ、第４レンズ)のｄ線（５８７．５６ｎｍ）におけるアッベ数の合計である。）
【請求項５】
請求項２乃至４のいずれか１項に記載の画像読取装置において、前記結像素子は、下記（５）式を満足することを特徴とする画像読取装置。
３１.０    ＜  ｆＬ１×ν１／ｆｅ  ＜  ３７.０        （５）式
（但し、
ｆＬ１  ：  第１レンズのｅ線（５４６．０７ｎｍ）における焦点距離、
ν１  ：  第１レンズのアッベ数、
ｆｅ  ：  基準波長ｅ線（５４６．０７ｎｍ）おける焦点距離である。）
【請求項６】
請求項１乃至５のいずれか１項に記載の画像読取装置において、前記画像信号がＲＧＢ信号であることを特徴とする画像読取装置。
【請求項７】
請求項１乃至６のいずれか１項に記載の画像読取装置において、前記結像素子は前記反射光を縮小結像させる結像レンズであることを特徴とする画像読取装置。
【請求項８】
請求項１乃至７のいずれか１項に記載の画像読取装置において、前記結像素子はガラスレンズであり、そのガラス材料は有害物質を含有していないことを特徴とする画像読取装置。
【請求項９】
請求項８に記載の画像形成装置において、前記有害物質は鉛及び砒素であることを特徴とする画像読取装置。
【請求項１０】
請求項１乃至９のいずれか１項に記載の画像読取装置において、前記結像素子は全て球面により構成されていることを特徴とする読取装置。
【請求項１１】
画像信号に対応する画像を書き込んで画像を形成する画像形成装置であって、
原稿をフルカラーで読み取って画像信号化する手段として、請求項１乃至１０のいずれか１項に記載の画像読取装置を有することを特徴とする画像形成装置。
【請求項１２】
請求項１１に記載の画像形成装置において、前記画像信号に対応する画像の書き込みを光書き込みにより行うことを特徴とする画像形成装置。
【請求項１３】
請求項１２に記載の画像形成装置において、形成すべき画像に対応する静電潜像を光書き込みにより光導電性の感光体に形成することを特徴とする画像形成装置。
【発明の詳細な説明】
【技術分野】
【０００１】
本発明は、画像読取装置および該画像読取装置を用いた画像形成装置に関するものであり、特に低コスト、コンパクトで高画質な画像読取装置に関するものである。
【背景技術】
【０００２】
デジタル複写機、ファクシミリおよびイメージスキャナ等の原稿読取部（画像読取装置）においては、原稿画像を光学系により受光素子である光電変換素子に結像させて原稿画像を電気信号化する。ここで、原稿情報をカラーで読み取るために、照明系に異なる波長領域を有する光源を複数具備し、その光源を順次点灯させて原稿のカラー情報を信号化する方法や、受光素子として例えば赤、緑、青のフィルタを持ったラインセンサが１チップに３列に配列されている所謂３ラインＣＣＤを用い、この受光素子に原稿像を結像させることにより３原色に色分解しカラー画像情報を信号化する方法がある。
【０００３】
また、画像処理としては、画像の鮮鋭度を向上させることや画像の平滑性を高める目的で、デジタル画像信号に対してフィルタ処理（空間フィルタ処理）が一般的に行われている。とりわけ、デジタル複写機のようにスキャナによって読み取られた画像信号を扱う画像処理においては、文字鮮鋭性向上のためのＭＴＦ（Ｍｏｄｕｌａｔｉｏｎ  Ｔｒａｎｓｆｅｒ  Ｆｕｎｃｔｉｏｎ）補正や、盲点モアレ抑制のための平滑化処理は必須の処理である。
【０００４】
カラー複写機におけるフィルタ処理においては、従来はＲＧＢまたはＣＭＹＫ等の３原色または３原色＋１色（黒色；Ｋ）の信号に対して行われるのが一般的であったが、最近では輝度／色差信号や明度／色度信号や、明度／彩度／色相信号を使用し、色の属性を考慮した信号に対してフィルタ処理を実施する手法が主流となりつつある。
【０００５】
輝度／色差系フィルタ処理のメリットは、第１に、人間の視覚特性（輝度には感度が高く、色差には感度が低い等）を考慮したフィルタ処理が可能となる点にある。第２に、輝度信号や色差信号に対して、彩度等の入力画像の特徴に応じて各々へのエッジ強調や平滑化の強度、信号を補正する度合い等を調整することが簡易に実現可能となる点にある。
【０００６】
また、このような画像読取装置に使用する読取レンズは、一般に像面において高空間周波数領域での高いコントラストが要求されると共に、開口効率が画角周辺部まで１００％近くあることが要求されている。さらに、カラー原稿を良好に読み取るためには、受光面上で赤、緑、青の各色の結像位置を光軸方向に合致させる必要があり、各色の色収差補正を極めて良好にしなければならない。このため、使用される読取レンズとしては、像面湾曲を非常に小さく抑え、光軸近傍から周辺までの各像高における結像性能が均一となるように設計する必要がある。
【０００７】
さらに近年、コピーの生産性向上の要求に対応するため、読取レンズに対してＦ４．２程度の明るいレンズが求められており、これらの性能及び使用値を満足するための結像レンズとして、比較的大口径にしてもコマフレアの発生を抑制し、色収差補正能力も高い４群６枚構成のガウスタイプが用いられている。
【０００８】
ここで、ガウスタイプを用いて軸上の色収差を良好に補正するために、負レンズである第３及び第４のレンズの少なくとも１つのレンズに、部分分散偏差がプラスの性質を有する所謂異常分散ガラスを使用して良好な性能を得る発明が開示されている（例えば特許文献１〜６参照。）。
【０００９】
しかし、ガウスタイプはレンズの構成枚数が６枚と多いため、レンズ外径が大きくなり、レンズ及びそれを用いた装置の小型化や低コスト化に対して限界があった。さらに、一般的に負レンズに使用される比較的高分散（アッベ数が４０〜４５近傍）の異常分散ガラスは、やけやすい等の加工面での問題があり、加工コストが高くなるデメリットがあった。
【００１０】
一方、４群４枚構成とレンズの構成枚数が少ないテレフォトタイプの発明としては、特許文献７、８に記載の発明が開示されているが、これらの発明は共にＦナンバが６以上と暗く、高速化に対応できないものであった。ここで、テレフォトタイプで大口径化を達成する発明が特許文献９、１０に開示されている。しかし、特許文献９に記載の発明はＦナンバが４．５と比較的大口径ではあるが、絶対収差量が非常に大きく、例えば６００ｄｐｉのような高密度な読み取りには使用できる結像性能を有していなく、また特許文献１０に記載の発明はＦナンバが４と大口径であるが、Ｃ線またはＦ線の倍率色収差が非常に大きく、フルカラーに使用できる性能を有していなかった。
【００１１】
【特許文献１】特許公報第２７２９０３９号
【特許文献２】特許公報第２７９０９１９号
【特許文献３】特開平９−３０４６９６号公報
【特許文献４】特開平１０−２５３８８１号公報
【特許文献５】特開平１１−１０９２２１号公報
【特許文献６】特開２００１−１６６３５９号公報
【特許文献７】特開２００２−３１７５３号公報
【特許文献８】特開２００１−１６６３５９号公報
【特許文献９】特許公報第３８５６２５８号
【特許文献１０】特開平０９−１０１４５２号公報
【発明の開示】
【発明が解決しようとする課題】
【００１２】
そこで本発明は、上述した事情に鑑みて為されたものであり、レンズ構成枚数が少なく低コストで、十分な画角及び明るさを得ることが可能な結像レンズを用いて、低コストかつコンパクトで、高画質な画像読取装置及び該画像読取装置を用いた画像形成装置を提供することを目的とする。
【課題を解決するための手段】
【００１３】
上記課題を解決するために本発明に係る画像読取装置及び該画像読取装置を用いた画像形成装置は、具体的には下記（１）〜（１４）に記載の技術的特徴を有する。
（１）：原稿を照明する照明系と、該照明系で照明された原稿からの反射光を結像させる結像素子と、該結像素子で結像された原稿像を画像信号に光電変換する受光素子と、該受光素子からの画像信号にフィルタ処理を行う画像処理部とを有する画像読取装置において、前記照明系または前記結像素子を用いた結像光学系の任意の光路中に、前記反射光を少なくとも３種類の波長領域に色分解する色分解手段を有し、前記画像処理部は、前記画像信号を輝度／色差信号または明度／色度信号に変換してフィルタ処理を行う画像処理機能を有し、前記結像素子は、下記（１）及び（２）式を満足することを特徴とする画像読取装置である。
０．００２６    ≦  ｜ｆ−ｆｅ｜／ｆｅ        （１）式
｜ｆ−ｆｅ｜／ｆｅ  ＜  ０．００４５          （２）式
（但し、
ｆ    ：  Ｃ線（６５６．２７ｎｍ）またはＦ線（４８６．１３ｎｍ）における焦点距離、
ｆｅ  ：  基準波長ｅ線（５４６．０７ｎｍ）における焦点距離である。）
【００１５】
（２）：上記（１）に記載の画像読取装置において、前記結像素子は、物体側から順に正のパワーの第１レンズ、負のパワーの第２レンズ、正のパワーの第３レンズ、負パワーの第４レンズで構成されていることを特徴とする画像読取装置である。
【００１６】
（３）：上記（２）に記載の画像読取装置において、前記結像素子は、第１レンズは、物体側に凸面を向けたメニスカス形状、第２レンズは両凹レンズ、第３レンズは両凸レンズ、第４レンズは物体側に凹面を向けたメニスカス形状で、第２レンズと第３レンズの間に絞りを有することを特徴とする画像読取装置である。
【００１７】
（４）：上記（２）または（３）に記載の画像読取装置において、前記結像素子は、下記（３）式及び（４）式の何れをも満足することを特徴とする画像読取装置である。
０.０５    ＜  ｎ凸−ｎ凹    ＜  ０.２５        （３）式
２５.０    ＜  ν凸−ν凹    ＜  ３６.５        （４）式
（但し、
ｎ凸  ：  正レンズ(第１レンズ、第３レンズ)のｄ線（５８７．５６ｎｍ）における屈折率の合計、
ｎ凹  ：  負レンズ(第２レンズ、第４レンズ)のｄ線（５８７．５６ｎｍ）における屈折率の合計、
ν凸  ：  正レンズ(第１レンズ、第３レンズ)のｄ線（５８７．５６ｎｍ）におけるアッベ数の合計。
ν凹  ：  負レンズ(第２レンズ、第４レンズ)のｄ線（５８７．５６ｎｍ）におけるアッベ数の合計である。）
【００１８】
（５）：上記（２）乃至（４）のいずれか１項に記載の画像読取装置において、前記結像素子は、下記（５）式を満足することを特徴とする画像読取装置である。
３１.０    ＜  ｆＬ１×ν１／ｆｅ  ＜  ３７.０        （５）式
（但し、
ｆＬ１  ：  第１レンズのｅ線（５４６．０７ｎｍ）における焦点距離、
ν１  ：  第１レンズのアッベ数、
ｆｅ  ：  基準波長ｅ線（５４６．０７ｎｍ）おける焦点距離である。）
【００１９】
（６）：上記（１）乃至（５）のいずれか１項に記載の画像読取装置において、前記画像信号がＲＧＢ信号であることを特徴とする画像読取装置である。
【００２０】
（７）：上記（１）乃至（６）のいずれか１項に記載の画像読取装置において、前記結像素子は前記反射光を縮小結像させる結像レンズであることを特徴とする画像読取装置である。
【００２１】
（８）：上記（１）乃至（７）のいずれか１項に記載の画像読取装置において、前記結像素子はガラスレンズであり、そのガラス材料は有害物質を含有していないことを特徴とする画像読取装置である。
【００２２】
（９）：上記（８）に記載の画像形成装置において、前記有害物質は鉛及び砒素であることを特徴とする画像読取装置である。
【００２３】
（１０）：上記（１）乃至（９）のいずれか１項に記載の画像読取装置において、前記結像素子は全て球面により構成されていることを特徴とする読取装置である。
【００２４】
（１１）：画像信号に対応する画像を書き込んで画像を形成する画像形成装置であって、原稿をフルカラーで読み取って画像信号化する手段として、上記（１）乃至（１０）のいずれか１項に記載の画像読取装置を有することを特徴とする画像形成装置である。
【００２５】
（１２）：上記（１１）に記載の画像形成装置において、前記画像信号に対応する画像の書き込みを光書き込みにより行うことを特徴とする画像形成装置である。
【００２６】
（１３）：上記（１２）に記載の画像形成装置において、形成すべき画像に対応する静電潜像を光書き込みにより光導電性の感光体に形成することを特徴とする画像形成装置である。
【発明の効果】
【００２７】
本発明に係る画像読取装置によれば、結像素子として構成枚数を低減したコンパクトで低コストな結像レンズを使用しても、十分な画角及び明るさを得ることが可能となり、画像品質低下を起こさず高精度な画像読取ができる。
また、本発明に係る画像形成装置によれば、本発明の画像読取装置を用いることで、十分な画角及び明るさを得ることが可能となり、原稿の良好な読み取りが可能となることから、各色毎の画素ずれのない良好な画像形成が可能となる。
【発明を実施するための最良の形態】
【００２８】
本発明の画像読取装置及び該画像読取装置を用いた画像形成装置の基本的な構成に関して以下に説明する。
なお、以下に述べる実施の形態は本発明の好適な実施の形態であるから、技術的に好ましい種々の限定が付されているが、本発明の範囲は以下の説明において特に本発明を限定する旨の記載がない限りこれらの態様に限られるものではない。
【００２９】
本発明に係る画像形成装置は、原稿画像をフルカラーで読み取って画像信号化する手段として、後述する本発明の画像読取装置を有し、該画像信号に対応する画像を書き込んで画像を形成することを特徴とするものである。この画像形成装置において、画像信号の書き込みは、インクジェット方式やインクリボン方式、感熱方式等の種々の公知の方式で行うことができるが、画像信号に対応する画像の書き込みを、光書き込みにより行うことが好ましい。さらにこの場合、光書き込みによる書き込みを、銀塩フィルム等に対して行ってもよいが、光導電性の感光体に光書き込みを行い、形成すべき画像に対応する静電潜像を形成する構成が好適である。
以下に上記構成を有する本発明に係る画像形成装置の一実施の形態について詳細に説明する。
【００３０】
図１は本発明に係る画像形成装置の一実施の形態であるデジタル式のフルカラー複写機の構成を示す概略図である。
本発明に係る画像形成装置は、原稿読取部であるスキャナ１及び後述するスキャナ補正部（不図示）、フィルタ処理部（不図示）、色補正処理部（不図示）、ＢＧ／ＵＣＲ処理部（不図示）を備える第１の画像処理部からなる本発明の画像読取装置と、該原稿読取装置で読み取った原稿画像の画像信号に対応する画像の形成を行う画像形成部とを備える。本実施の形態では図１に示すように、原稿読取部は画像形成装置上部に配置され、画像形成部は画像形成装置下部に配置される。
【００３１】
ここで、本発明に係る画像読取装置は、原稿を照明する照明系と、該照明系で照明された原稿からの反射光を結像させる結像素子と、該結像素子で結像された原稿像を画像信号に光電変換する受光素子と、該受光素子からの画像信号にフィルタ処理を行う画像処理部（上記第１の画像処理部）とを有する画像処理装置において、前記照明系または前記結像素子を用いた結像光学系の任意の光路中に、前記反射光を少なくとも３種類の波長領域に色分解する色分解手段を有し、前記画像処理部は、前記画像信号を輝度／色差信号または明度／色度信号に変換してフィルタ処理を行う画像処理機能を有し、前記結像素子は、下記（１）式を満足することを特徴とする画像読取装置である。
０．００１    ＜  ｜ｆ−ｆｅ｜／ｆｅ        （１）式
（但し、
ｆ    ：  Ｃ線（６５６．２７ｎｍ）またはＦ線（４８６．１３ｎｍ）における焦点距離、
ｆｅ  ：  基準波長ｅ線（５４６．０７ｎｍ）における焦点距離である。）
【００３２】
図２に、本発明に係る画像読取装置であるスキャナ１の構成例として、受光素子に所謂３ラインＣＣＤを用いた一例を示す。
スキャナ１において、原稿１０２は、コンタクトガラス１０１の上に配置され、コンタクトガラス１０１の下部に配置された照明光学系１０７により、原稿１０２が照明される。原稿１０２の照明反射光Ｌは、第１走行体１０３の第１ミラー１０３ａにより反射され、その後、第２走行体１０４が有する第１ミラー１０４ａと第２ミラー１０４ｂとで反射され、縮小結像レンズ（結像素子）１０５へ導かれ、結像レンズ１０５によりラインセンサユニット１０６の各ラインセンサ１０６Ｒ、１０６Ｇ、１０６Ｂに結像される。
【００３３】
また、原稿１０２の長手方向を読み取る場合は、第１走行体１０３が図中左端から右方向にＶの速度で図中右端の（１０３’）の位置まで移動し、それと同時に第２走行体１０４が、図中左端から右方向に第１走行体１０３の半分の速度１／２Ｖで図中中央の（１０４’）の位置まで移動して、原稿１０２からラインセンサユニット１０６までの光路長を常に一定として原稿全体を読み取る。
【００３４】
ここで画像読取光学系としては、上記のような方式以外に、図３に示すように、光路を複数枚（枚数は任意）のミラーで折り返し、結像レンズ１０５とラインセンサ１０６を一体型ユニット１０８に保持し、その一体型ユニット１０８全体が移動して原稿情報を読み取る方式としても良い。
【００３５】
ラインセンサユニット１０６は、その長手方向が副走査方向（図紙面垂直方向）と一致するように、ラインＣＣＤであるラインセンサ１０６Ｒ、１０６Ｇ、１０６Ｂの夫々が１チップに３列平行配列された構成（所謂３ラインＣＣＤ）となっている。また、照明反射光Ｌをラインセンサ１０６Ｒ、１０６Ｇ、１０６Ｂに対応した３種類の波長領域の光に色分解するためのフィルタ（Ｒ、Ｇ、Ｂのフィルタ（照明反射光Ｌを赤（Ｒ）の波長領域の光に色分解するフィルタ、照明反射光Ｌを緑（Ｇ）の波長領域の光に色分解するフィルタ、照明反射光Ｌを青（Ｂ）の波長領域の光に色分解するフィルタ））がセンサ前面に配置されている。
【００３６】
ここで色分解の方法（色分解手段）としては、上記のような結像レンズ５とラインセンサ１０６Ｒ、１０６Ｇ、１０６Ｂの間に色分解プリズムやフィルタを選択的に挿入し、Ｒ、Ｇ、Ｂに色分解する方法や、Ｒ、Ｇ、Ｂ光源を順次点灯させ原稿１０２を照明する方法などがあるが、所定の波長領域に分解できればどのような方法であっても良い。
【００３７】
次に、第１の画像処理部においてラインセンサユニット１０６で色分解されて得られたＲＧＢ画像データについて所定の画像処理を行い、書き込み用の画像信号（イエロー・マゼンタ・シアン・ブラックの各色を書き込むための信号）に変換された信号であるＹ、Ｍ、Ｃ、Ｋデータを出力する。この画像処理の詳細については後述する。
【００３８】
図１における画像形成部は、第２の画像処理部と画像出力部とから構成される。
第２の画像処理部は、後述するプリンタγ補正処理部と、中間調処理部を備える構成であり、この第２の画像処理部に入力された画像データ（前記Ｙ、Ｍ、Ｃ、Ｋデータ）は、プリンタγ補正処理、階調処理が行われ、画像出力部の明暗特性の補正処理や、該画像出力部の階調特性等に応じた誤差拡散処理やディザ処理等による画像データの量子化を行い、画像出力部にデータを出力するものである。なお、前記第１の画像処理部と第２の画像処理部は、図中に示す画像処理部１２００にまとめて備える構成としても良い。
次いで、画像処理部から入力された画像データに基づき、画像出力部によって当該画像データの書き込みを行って画像を形成する。
【００３９】
ここで、画像出力部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【００４０】
画像処理部１２００から書込み用の信号を受けて光走査により感光体１１００に書込みを行う光走査装置１１７０は、帯電ローラ１１１０と現像装置１１３０との間において感光体１１００の光走査を行うようになっている。
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【００４１】
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂「ネガ潜像」であって画像部が露光されている。
【００４２】
「画像の書込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【００４３】
転写紙Ｓを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００４４】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００４５】
カラー画像を転写された転写紙Ｓは定着装置１１６０へ送られ、定着装置１１６０においてカラー画像を定着され、図示されないガイド手段による搬送路を通り、図示されない排紙ローラ対によりトレイ１２１０上に排出される。
また、各色トナー画像が転写されるたびに、感光体１１００の表面はクリーニング装置１１５０によりクリーニングされ、残留トナーや紙粉等が除去される。
【００４６】
次に、図１のデジタル式のフルカラー複写機における画像信号処理の流れについて説明する。
図４に本発明に係る画像形成装置の第１の実施の形態における画像処理部の画像信号処理全体の構成を示すブロック図である。
画像処理部は、スキャナ部３−１と、スキャナγ補正処理部３−２と、フィルタ処理部３−３と、色補正処理部３−４と、ＢＧ／ＵＣＲ処理部３−５と、プリンタγ補正処理部３−６と、中間処理部３−７と、プリンタ部３−８と、ＣＰＵ３−９と、操作部３−１０と、データバス３−１１とを備える。
【００４７】
次に、図４における画像処理の動作概略を説明する。操作部のスタートボタン（不図示）が押下されると、複写動作に先立ちＣＰＵは予めユーザにより設定された複写モードに応じてデータバスを介して各画像処理のパラメータを各々の画像処理部（スキャナγ補正部３−２、フィルタ処理部３−３、色補正処理部３−４、ＢＧ／ＵＣＲ処理部３−５、プリンタγ補正処理部３−６、中間処理部３−７）に設定する。なお、通常複写機においては原稿の種類等に応じて文字、文字／写真、写真などの複写モードが備わっており、この設定に応じて画像処理パラメータ等の切り替えを行う。係る技術は公知であるので詳細については省略する。このパラメータの設定後に、スキャナ部３−１は原稿の読み取り動作を開始する。スキャナ部３−１で読み取られた画像データは、画像処理部で画像処理が行われた後、プリンタ部３−８に出力され、図示しない記録紙上にプリントされる。
【００４８】
スキャナ部３−１は、カラー原稿を光学的に読み取り、８ｂｉｔ（０〜２５５）のデジタル画像信号（ｒｇｂ信号）へ光電変換をした後、公知のシェーディング補正を実行して、スキャナγ補正処理部３−２に出力する。
【００４９】
スキャナγ補正部３−２は、スキャナから入力されるデジタル画像信号ｒｇｂ（ｒｅｄ、ｇｒｅｅｎ、ｂｌｕｅ）信号を、ＬＵＴ（Ｌｏｏｋ  Ｕｐ  Ｔａｂｌｅ）等を使用して、濃度信号であるＲＧＢ信号に変換し、ＲＧＢ信号をフィルタ処理部３−３に出力する。
【００５０】
フィルタ処理部３−３は、スキャナγ処理補正部３−２から入力されるＲＧＢ信号をＬＵＶ信号に変換した後、ＬＵＶ信号に対して輝度／色差系フィルタ処理を施して、色補正処理部３−４に出力する。フィルタ処理の詳細な構成は後述する。
【００５１】
色補正処理部３−４は、フィルタ処理部３−３から入力されるＲＧＢ信号を、色変換処理してＣＭＹ（Ｃｙａｎ、Ｍａｇｅｎｔａ、Ｙｅｌｌｏｗ）信号に変換して、ＢＧ／ＵＣＲ処理部３−５に出力する。色変換処理としては、例えば下記（Ｉ）〜（III）式を使用してＲＧＢ−ＣＭＹ変換を行うことができる。
【００５２】
Ｃ＝α１１×Ｒ＋α１２×Ｇ＋α１３×Ｂ＋β１        （Ｉ）式
Ｍ＝α２１×Ｒ＋α２２×Ｇ＋α２３×Ｂ＋β２        （II）式
Ｙ＝α３１×Ｒ＋α３２×Ｇ＋α３３×Ｂ＋β３        （III）式
（但し、α１１〜α３３及びβ１〜β３は、予め定められた色補正係数、ＣＭＹは、８ｂｉｔ（０〜２５５）の信号である。）
【００５３】
ＢＧ／ＵＣＲ処理部３−５は、色補正処理部から入力されるＣＭＹ信号に基づいて、黒成分であるＫ信号を生成（ＢＧ）すると共に、ＣＭＹ信号に対して下色除去（ＵＣＲ）を行って、ＣＭＹＫ信号をプリンタγ補正処理部３−６に出力する。ここで、Ｋ信号の生成及びＣＭＹ信号からの下色除去は、例えば下記（IV）〜（VII）式により行うことができる。
【００５４】
Ｋ＝Ｍｉｎ（Ｃ，Ｍ，Ｙ）×β４        （IV）式
Ｃ’＝Ｃ−Ｋ×β５                    （Ｖ）式
Ｍ’＝Ｍ−Ｋ×β５                    （VI）式
Ｙ’＝Ｙ−Ｋ×β５                    （VII）式
（但し、Ｍｉｎ（Ｃ，Ｍ，Ｙ）はＣＭＹ信号のうち最小のものを表し、β４、β５は予め定められた係数であり、Ｃ’、Ｍ’、Ｙ’は、８ｂｉｔ（０〜２５５）の信号である。）
【００５５】
プリンタγ補正処理部３−６は、ＢＧ／ＵＣＲ処理部３−５に入力されたＣＭＹＫ信号の各色に対して、プリンタγ特性に対応させるために、ＬＵＴによりγ補正処理を行い、γ補正処理後のＣＭＹＫ信号を中間処理部３−７に出力する。
【００５６】
中間処理部３−７は、プリンタγ補正処理部３−７から入力されるプリンタγ補正処理後のＣＭＹＫ信号を、公知のディザ処理や誤差拡散処理等の擬似縦貫処理を行って、擬似中間処理後のＣＭＹＫ信号をプリンタ部３−８に出力する。
【００５７】
プリンタ部３−８では、中間調処理部３−７から入力される擬似中間処理後のＣＭＹＫ信号によって一連の作像プロセスが行われて紙などに印写される。
【００５８】
次に、上述したフィルタ処理部３−３の構成及び動作について詳細に説明する。
図５は、図４のフィルタ処理部３−３の詳細な構成を示すブロック図である。
フィルタ処理部３−３は、第１の信号変換処理部（ＲＧＢ−ＬＵＶ変換部）４−１と、Ｌ、Ｕ、Ｖごとに設けられたフィルタ処理部４−３と、第２の信号変換処理部（ＲＧＢ−ＬＵＶ変換部）４−５とから構成されている。
【００５９】
第１の信号変換処理部（ＲＧＢ−ＬＵＶ変換部）４−１は、色補正部３−４から入力されるＣＭＹ信号を、輝度／色差信号であるＬＵＶ信号（Ｌ：輝度信号、ＵＶ：色差信号）に変換して、フィルタ処理部４−３に出力する。ここで、ＬＵＶ信号への変換は下記（VIII）〜（Ｘ）式によって行うことができる。
【００６０】
Ｌ＝ｆｌｏｏｒ｛（Ｒ＋２＊Ｇ＋Ｂ）／４｝        （VIII）式
Ｕ＝Ｒ−Ｇ                                      （IX）式
Ｖ＝Ｂ−Ｇ                                      （Ｘ）式
（但し、「ｆｌｏｏｒ｛  ｝」は、フロアー関数を表す。）
【００６１】
上記（VIII）〜（Ｘ）式は、ＪＰＥＧ後継の標準圧縮方式であるＪＰＧ２０００において採用されていて、ビットシフトと加減算のみで実現可能であり、かつ整数演算によって可逆変換可能な輝度／色差信号への変換式である。
【００６２】
フィルタ処理部４−３は、第１の信号変換処理部から各々入力されるＬ信号、Ｕ信号、Ｖ信号に対して、夫々フィルタ処理を行い、Ｌ’信号、Ｕ’信号、Ｖ’信号を第２の信号変換部４−５に出力する。ここで、実施されるフィルタ処理は、例えば図６（ａ）や図６（ｂ）に示すフィルタ係数のフィルタによってコンボリューション演算が実施される。図６（ａ）は平滑化フィルタの一例を示し、図６（ｂ）はエッジ強調フィルタの一例を示している。
【００６３】
これらのフィルタ係数は、複写モード等によって変更するような構成にしても良い。また、Ｌ信号とＵＶ信号とで異なるフィルタ係数を使用しても良く、ＵＶ信号と比べてＬ信号に対するフィルタによる影響を強くすることが好ましい。さらに、公知技術である像域分離処理を使用して、画像の像域を判定・分離し、その分離結果に基づいてフィルタを切り替える構成としても良い。フィルタ係数は画質に大きな影響を与える要素となるため、通常は機器ごとに実験などを踏まえて決定される。なお、通常このようなフィルタ処理を実施する場合、フィルタ係数の「副走査方向サイズ−１」ライン分（図６のフィルタの場合３−１＝２である。）のラインメモリが必要となるが、ここでは説明の簡略化のために図示を省略している。
【００６４】
第２信号変換処理部４−５は、フィルタ処理部４−３から入力されるＬ’信号、Ｕ’信号、Ｖ’信号を下記（XI）〜（XIII）式によってＲ’信号、Ｇ’信号、Ｂ’信号に変換してＢＧ／ＵＣＲ処理部３−５に出力する。
【００６５】
Ｇ'＝Ｌ−ｆｌｏｏｒ｛（Ｕ＋Ｖ）／４｝        （XI）式
Ｒ'＝Ｕ＋Ｇ                                  （XII）式
Ｂ'＝Ｖ＋Ｇ                                  （XIII）式
（但し、「ｆｌｏｏｒ｛  ｝」は、フロアー関数を表す。）
【００６６】
なお、圧縮処理のような可逆変換を実施する場合、上記（VIII）〜（XIII）式のようにｆｌｏｏｒ関数を使用すれば可逆変換が可能であるが、必ずしもｆｌｏｏｒ関数を使用する必要はなく、四捨五入や切り捨て等を使用することにしても良い。
【００６７】
図７は原稿印刷用に用いられる一般的なインクの分光反射率の一例を示す。また、図８は３ラインＣＣＤに用いられるカラーフィルタの分光透過率の一例を示す。
通常、インクの反射率が高い波長域においては、インクの有無による受光量の変化が小さく、強度差がないため、原稿情報の検出が困難となる。
【００６８】
シアンインクの場合、Ｂ信号に対応する波長領域においては反射率が高いが、Ｒ信号に対応する波長域においては反射率がほぼ０％となっており、補色であるＲ信号を用いてシアンインクで印刷された原稿情報を検出可能となっている。しかし、Ｇ信号に対応する波長域においても反射率が低くなっているため、シアンインクに対してはＧ信号でも原稿情報を検出することができる。つまり、ＲＧＢ信号をＬＵＶ信号に変換し、Ｇ信号の寄与が大きいＬ信号に対してフィルタ処理を行うことにより、Ｒ信号に対応する波長域の結像性能が多少劣化しても問題のないレベルにまで画像を修正することが可能となり、Ｒの軸上色収差を従来のカラー原稿読み取りレンズのように良好に補正する必要がなくなる。
このことはブラックインクの場合も同様のことが言える。
【００６９】
また、イエローインクの場合、Ｒ・Ｇ信号に対応する波長域においては共に反射率が高く、Ｂ信号に対応する波長域においては反射率がほぼ０％となっている。つまり、イエローインクで印刷された情報がある場合Ｂ信号の強度は非常に小さくなり、イエローインクで印刷された情報がない場合は強度が強くなるため、Ｂ信号を用いてイエローインクで印刷された情報の有無を検出することができる。このため、イエローインクで印刷された原稿情報を良好に検知するためには、Ｂ信号に対応する波長域の結像性能が必要となるが、イエローインクは明度の高い色であるため人間の視覚特性上エッジ強調の必要性が低い。即ち、イエローインクに関して軸上色収差が発生することにより高空間周波数のＭＴＦが劣化しても問題にならない。
【００７０】
ここで、軸上色収差を劣化させることが可能となる理由について、図９に示すＭＴＦ対デフォーカス曲線（Ｍ−Ｄ曲線）図を用いて詳細に説明する。ここで、Ｒ１，Ｇ１，Ｂ１は夫々ＲＧＢの低空間周波数のＭＴＦを表し、Ｒ２，Ｇ２，Ｂ３は夫々ＲＧＢの高空間周波数のＭＴＦを表す。
図９において、Ｂ信号に対して影響が大きい波長域の軸上色収差が発生しているとすると、Ｂ信号に対するＭＴＦピークが揃わなくなる。ただし、高空間周波数のＭＴＦは大きく劣化することになるが、低空間周波数のＭＴＦは深度が広いため、ＭＴＦの劣化は小さいことがわかる。
また、黒文字周辺での色付きを抑えることができるため、有彩色・無彩色の領域分離を行うことが望ましい。有彩色・無彩色の領域分離を行う際には、低空間周波数のＭＴＦが必要となってくるため、低空間周波数におけるＭＴＦの劣化が小さいことが好ましい。
【００７１】
このことから、構成枚数を低減したコンパクトで低コストな結像レンズを使用しても、画像読取装置としては高精度な画像読み取りをすることができる。
このときのＲまたはＢの軸上色収差の許容値を規定するものが下記（１）式であり、条件式（１）の範囲を超えると色収差は良好な状態となるが、それを達成するために高度な色補正が必要となり、レンズ構成枚数の増大やレンズ全長が長くなってしまう。
【００７２】
０．００１    ＜  ｜ｆ−ｆｅ｜／ｆｅ        （１）式
（但し、
ｆ    ：  Ｃ線（６５６．２７ｎｍ）またはＦ線（４８６．１３ｎｍ）における焦点距離、
ｆｅ  ：  基準波長ｅ線（５４６．０７ｎｍ）における焦点距離である。）
【００７３】
また本発明における結像素子は、上記（１）式の範囲を満たすことが好ましく、
０．００１５  ＜  ｜ｆ−ｆｅ｜／ｆｅ        （１）’式
であることがより好ましく、
０．００２    ＜  ｜ｆ−ｆｅ｜／ｆｅ        （１）’’式
であることがさらに好ましい。
【００７４】
しかし、軸上色収差が大きく発生してしまうと、色に関する画像性能が悪くなるため、さらに下記（２）式を満足することが望ましい。
【００７５】
｜ｆ−ｆｅ｜／ｆｅ  ＜  ０．００４５          （２）式
（但し、
ｆ    ：  Ｃ線（６５６．２７ｎｍ）またはＦ線（４８６．１３ｎｍ）における焦点距離、
ｆｅ  ：  基準波長ｅ線（５４６．０７ｎｍ）における焦点距離である。）
【００７６】
また、結像素子である結像レンズ１０５は、物体側から順に正のパワーの第１レンズ、負のパワーの第２レンズ、正のパワーの第３レンズ、負パワーの第４レンズで構成されていることが好ましい。
【００７７】
さらに、結像レンズ１０５は、第１レンズは、物体側に凸面を向けたメニスカス形状、第２レンズは両凹レンズ、第３レンズは両凸レンズ、第４レンズは物体側に凹面を向けたメニスカス形状で、第２レンズと第３レンズの間に絞りを有することが好ましい。
【００７８】
上記構成は結像レンズ１０５の具体的な構成を示すものであって、この構成により従来４群６枚構成の所謂ガウスタイプのレンズで達成されていた結像性能が、４群４枚構成の所謂テレフォトタイプのレンズとしても良好な結像性能が得られる。
【００７９】
また、結像素子としては、原稿情報を縮小結像させる縮小光学系と、原稿情報を等倍結像させる等倍結像光学系とがある。本発明の画像形成装置及び画像読取装置にはどちらの光学系を適用しても良いが、原稿面の深度が深く原稿がコンタクトガラスに密着しないで浮いた状態である場合にも高精度な画像読み取りが可能であることから、縮小光学系を用いることが好ましい。
【００８０】
画像読取装置は、高空間周波数領域で光軸近傍から周辺まで均一で高いコントラストを有することが要求される。そのため、結像レンズ１０５としては、像面湾曲を良好に補正する必要があり、特に副走査方向のコントラストを均一とするために、サジタル方向の像面湾曲を良好に補正し、かつコマ収差を小さく抑える必要がある。また、開口効率が画角周辺部まで１００％近くある事が要求されている。さらに色ずれを抑制するために倍率色収差は良好に補正する必要がある。
そこで、結像レンズ１０５は、下記（３）式及び（４）式の何れをも満足することが好ましい。
【００８１】
０.０５    ＜  ｎ凸−ｎ凹    ＜  ０.２５        （３）式
２５.０    ＜  ν凸−ν凹    ＜  ３６.５        （４）式
（但し、
ｎ凸  ：  正レンズ(第１レンズ、第３レンズ)のｄ線（５８７．５６ｎｍ）における屈折率の合計、
ｎ凹  ：  負レンズ(第２レンズ、第４レンズ)のｄ線（５８７．５６ｎｍ）における屈折率の合計、
ν凸  ：  正レンズ(第１レンズ、第３レンズ)のｄ線（５８７．５６ｎｍ）におけるアッベ数の合計。
ν凹  ：  負レンズ(第２レンズ、第４レンズ)のｄ線（５８７．５６ｎｍ）におけるアッベ数の合計である。）
【００８２】
上記のような性能を満足するために、上記（３）式及び（４）式は結像レンズ１０５に使用する材料を規定するもので、上記（３）式は、結像レンズを構成する凸レンズと凹レンズの屈折率の範囲を定めるもので、上限を超えると、ペッツバール和が小さくなりすぎ、像面が正の側に倒れ像面湾曲が大きくなる。下限を超えると逆に、ペッツバール和が大きくなりすぎ、像面が負の側に倒れ、非点隔差が大きくなり、この条件の範囲外では、全画面にわたって良好な結像性能を得ることが出来なくなる。
上記（４）式は、軸上色収差を良好に補正する条件である。上限を超えると軸上色収差が補正過剰になり基準波長より短波長側で軸上色収差が正の側に大きくなる。下限を超えると軸上色収差が補正不足になり主波長より短波長側で負の側に軸上色収差が大きくなってしまう。
以上のように、上記（３）式及び（４）式に規定する範囲を外れると、結像レンズ１０５に要求される性能を満足できなくなる。
【００８３】
また、結像レンズ１０５は、下記（５）式を満足することが好ましい。
３１.０    ＜  ｆＬ１×ν１／ｆｅ  ＜  ３７.０        （５）式
（但し、
ｆＬ１  ：  第１レンズのｅ線（５４６．０７ｎｍ）における焦点距離、
ν１  ：  第１レンズのアッベ数、
ｆｅ  ：  基準波長ｅ線（５４６．０７ｎｍ）おける焦点距離である。）
【００８４】
上記（３）式及び（４）式に規定する範囲を満足して、さらに良好な画像処理性能と読み取り画像品質を満足して、結像レンズを低コストにするための条件が上記（５）式である。上記（５）式の下限値を下回ると、第一レンズのパワーが強くなりすぎてしまうためコマ収差が増大すると共に、軸上の色収差が大きくなり過ぎてしまう。逆に上限値を超えると、第一レンズのパワーがゆるくなりすぎてしまいレンズ全体が大きくなり、低コスト化や小型化が達成できなくなる。
【００８５】
結像レンズ１０５はガラスレンズであり、そのガラス材料は有害物質を含有していないことが好ましく、特に、前記有害物質は鉛及び砒素であることがさらに好ましい。
全てのレンズを化学的に安定で鉛や砒素等の有害物質を含まない光学ガラスで構成することにより、材料のリサイクル化が可能で、加工時の廃液による水質汚染が無く、省資源化や加工時に発生するＣＯ2等を低減でき、地球環境を考慮した、小型で低コストな読み取用レンズとすることができる。
【００８６】
結像レンズ１０５は、全て球面により構成されていることが好ましい。
現在デジタルカメラなどに非球面レンズが採用されているが、非球面レンズはレンズ外径が大きくなると、成型時に時間を要し加工コストがアップすることや、面形状が良好に保てなくなることがある。そこで、本発明の読取レンズは、全ての面を球面で構成することにより大きさの制限が無く、加工性や面形状精度が良好なレンズとすることができる。
【実施例】
【００８７】
以下に本発明の読取レンズの実施例を示す。ここでは、結像素子１０５である読取レンズの構成及び諸元を変化させて、その光学特性を検証した。
また、図１０に示すように、読取レンズは物体側から光軸上に第１レンズＬ１、第２レンズＬ２、絞りＩ、第３レンズＬ３、第４レンズＬ４配列と配列されたものであり、物体側から数えて第ｉ番目のレンズ面の曲率半径をｒｉ、第ｉ版目と第ｉ＋１番目のレンズ面の間の光軸上の面間隔をｄｉ、物体側から数えて第ｊ番目のレンズの材料の屈折率及びアッベ数をそれぞれｎｊ、νｊとする（詳しくは、ｄ線、ｅ線、Ｆ線、Ｃ線に対する屈折率として、それぞれｎｄｊ、ｎｅｊ、ｎＦｊ、ｎＣｊとする。）。なお、第２レンズＬ２と第３レンズＬ３の間に設けている絞りＩについてはｉ＝５とする。また、画像読取装置におけるコンタクトガラス１０１とラインセンサユニット１０６のＣＣＤカバーガラス１０６ｃのガラス板の材料の屈折率及びアッベ数をそれぞれｎｃ３、ν３とする（詳しくは、ｄ線、ｅ線、Ｆ線、Ｃ線に対する屈折率として、それぞれｎｄｃ３、ｎｅｃ３、ｎＦｃ３、ｎＣｃ３とする。）。
【００８８】
また、各実施例における記号の意味は下記の通りである。
ｆｅ                ：  全系のｅ線の合成焦点距離
ＦＮｏ              ：  Ｆナンバ
ｍ                  ：  縮率
ω                  ：  半画角(度)
Ｙ                  ：  物体高
ｒｉ(ｉ＝１〜９)    ：  物体側から数えてｉ番目のレンズ面の曲率半径
ｄｉ(ｉ＝１〜８)    ：  物体側から数えてｉ番目の面間隔
ｎｊ(ｊ＝１〜４)    ：  物体側から数えてｊ番目のレンズの材料の屈折率
ｖｊ(ｊ＝１〜４)    ：  物体側から数えてｊ番目のレンズの材料のアッベ数
ｒｃ１              ：  コンタクトガラスの物体側の曲率半径
ｒｃ２              ：  コンタクトガラスの像側の曲率半径
ｒｃ３              ：  ＣＣＤカバーガラスの物体側の曲率半径
ｒｃ４              ：  ＣＣＤカバーガラスの像側の曲率半径
ｄｃ１              ：  コンタクトガラスの肉厚
ｄｃ３              ：  ＣＣＤカバーガラスの肉厚
ｎｃ１              ：  ＣＣＤカバーガラスの屈折率
ｎｃ３              ：  コンタクトガラスの屈折率
ｖｃ１              ：  コンタクトガラスのアッベ数
ｖｃ３              ：  ＣＣＤカバーガラスのアッベ数
ｎｄ                ：  ｄ線（５８７．５６ｎｍ）の屈折率
ｎｅ                ：  ｅ線（５４６．０７ｎｍ）の屈折率
ｎＦ                ：  Ｆ線（４８６．１３ｎｍ）の屈折率
ｎＣ                ：  Ｃ線（６５６．２７ｎｍ）の屈折率
【００８９】
（実施例１〜６）
読取レンズの構成（概略形状及び配置関係）を、図１１（実施例１）、図１３（実施例２）、図１５（実施例３）、図１７（実施例４）、図１９（実施例５）、図２１（実施例６）に示す。また、表１〜６に順次実施例１〜６に関する読取レンズの諸元及び使用したガラスの材料名を示す。さらに、これらの収差図を、図１２（実施例１）、図１４（実施例２）、図１６（実施例３）、図１８（実施例４）、図２０（実施例５）、図２２（実施例６）に示す。
収差図において、ｅ、Ｆ、Ｃはそれぞれｅ線（５４６．０７ｎｍ）、Ｆ線（４８６．１３ｎｍ）、ｃ線（６５６．２７ｎｍ）に関するものであることを示す。また、球面収差の図において波線は正弦条件、非点収差の図において実線はサジタル光線、点線はメリディオナル光線を示す。
【００９０】
【表１】
0005080149.tif 000002
【００９１】
【表２】
0005080149.tif 000003
【００９２】
【表３】
0005080149.tif 000004
【００９３】
【表４】
0005080149.tif 000005
【００９４】
【表５】
0005080149.tif 000006
【００９５】
【表６】
0005080149.tif 000007
【００９６】
ここで、対比のために４群６枚構成のガウスタイプの従来例について以下に示す。
読取レンズの構成（概略形状及びは位置関係）を図２３に、読取レンズの諸元及び使用したガラスの材料名を表７に示す。記号は実施例と同一であるが、面番号のみ構成枚数の差分のみ増加している。また、従来例の収差図を図２４に示す。この収差図における表記は実施例の場合と同様である。
【００９７】
【表７】
0005080149.tif 000008
【００９８】
ここで、実施例１〜６及び従来例における、Ｆ線の焦点距離ｆＦ、ｅ線の焦点距離ｆｅ、Ｃ線の焦点距離ｆＣを表８に示す。さらに、表８の値を用いて求めた前記（１）式、（２）式の値を表９に示す。
【００９９】
【表８】
0005080149.tif 000009
【０１００】
【表９】
0005080149.tif 000010
【０１０１】
またさらに、表１０に実施例１〜６及び従来例における前記（３）式、（４）式、（５）式の値を示す。
【０１０２】
【表１０】
0005080149.tif 000011
【０１０３】
以上の条件式及び収差図に示される、実施例及び従来例の結果から明らかなように、従来例と比較して本実施例では、Ｒ信号に対応するＣ線（６５６．２７ｎｍ）の軸上の色収差を増大していて、その結果、実際の使用状態における結像レンズ後端（結像レンズの最終面）から受光素子までの距離が、基準波長であるＧ信号に対応したｅ線（５４６．０７ｎｍ）に対する差が大きくなっている。しかし、画像読取装置としては高精度な読み取りをすることができる。
【０１０４】
その他の収差に着目すると、半画角が１９度を超える画角でありながら、歪曲収差は±０．１％程度と小さく抑えられており、さらに像面湾曲特にサジタル像面湾曲は非常に小さく、更にコマ収差もＦ４.２と大口径であるにも関わらず、フレア成分が良好に補正されて、従来例と同等の性能を有しており、光軸近傍から最周辺にわたって全域で良好な性能を有していることが判る。また、倍率の色収差に関しては、軸上の色収差が大きいにもかかわらず従来例よりも小さく抑えられており、最終画像における各色毎の画素ずれはほとんど発生しない。
【図面の簡単な説明】
【０１０５】
【図１】本発明に係る画像形成装置の一態様であるデジタル式のフルカラー複写機の構成図である。
【図２】本発明に係る画像読取装置であるスキャナの構成（１）を示す断面図である。
【図３】本発明に係る画像読取装置であるスキャナの構成（２）を示す断面図である。
【図４】図１のデジタル式のフルカラー複写機における画像処理システムの概略構成を示すブロック図である。
【図５】図４に示した画像処理システムにおけるフィルタ処理部の詳細な構造を示すブロック図である。
【図６】（ａ）図５に示したフィルタ処理部において用いられる平滑化フィルタの一例を示すフィルタマトリックスである。  （ｂ）図５に示したフィルタ処理部において用いられるエッジ強調フィルタの一例を示すフィルタマトリックスである。
【図７】原稿印刷用に用いられる一般的なインクの分光反射特性を示す図である。
【図８】ラインセンサユニットの出力例である。
【図９】ＭＴＦとデフォーカスとの関係（Ｍ−Ｄ曲線）を示すグラフである。
【図１０】実施例における結像素子のレンズ構成を示す概略図である。
【図１１】実施例１の結像素子のレンズの概略形状及び配置関係を示す図である。
【図１２】実施例１の収差曲線図である。
【図１３】実施例２の結像素子のレンズの概略形状及び配置関係を示す図である。
【図１４】実施例２の収差曲線図である。
【図１５】実施例３の結像素子のレンズの概略形状及び配置関係を示す図である。
【図１６】実施例３の収差曲線図である。
【図１７】実施例４の結像素子のレンズの概略形状及び配置関係を示す図である。
【図１８】実施例４の収差曲線図である。
【図１９】実施例５の結像素子のレンズの概略形状及び配置関係を示す図である。
【図２０】実施例５の収差曲線図である。
【図２１】実施例６の結像素子のレンズの概略形状及び配置関係を示す図である。
【図２２】実施例６の収差曲線図である。
【図２３】従来例の結像素子のレンズの概略形状及び配置関係を示す図である。
【図２４】従来例の収差曲線図である。
【符号の説明】
【０１０６】
１    スキャナ
１０１    コンタクトガラス
１０２    原稿
１０３，１０３´    第１走行体
１０３ａ，１０４ａ，１０４ｂ    ミラー
１０４，１０４´    第２走行体
１０５    結像素子
１０６    ラインセンサユニット
１０６Ｒ，１０６Ｇ，１０６Ｂ    ラインセンサ
１０６ｃ    ＣＣＤカバーガラス
１０７    照明光学系
１０８    一体型ユニット
１１００    感光体
１１１０    帯電ローラ
１１３０    現像装置
１１４０    転写ベルト
１１４Ａ    転写電位印加ローラ
１１４Ｂ    転写ローラ
１１５０    クリーニング装置
１１６０    定着装置
１１７０    光走査装置
１１８０    カセット
１１９０    レジストローラ対
１２００    画像処理部
１２１０    トレイ
１２２０    給紙コロ
３−１    スキャナ部
３−２    スキャナγ補正処理部
３−３    フィルタ処理部
３−４    色補正処理部
３−５    ＢＧ／ＵＣＲ処理部
３−６    プリンタγ補正処理部
３−７    中間調処理部
３−８    プリンタ部
３−９    ＣＰＵ
３−１０    操作部
３−１１    データバス
４−１    第１の変換処理部
４−２    ＬＵＴ
４−３    フィルタ処理部
４−４    ＬＵＴ
４−５    第２の信号変換処理部
Ｉ    絞り
Ｌ１，Ｌ２，Ｌ３，Ｌ４，Ｌ５，Ｌ６    レンズ
Ｓ    記録媒体
【図１】
0005080149.tif 000012
【図２】
0005080149.tif 000013
【図３】
0005080149.tif 000014
【図４】
0005080149.tif 000015
【図５】
0005080149.tif 000016
【図６】
0005080149.tif 000017
【図７】
0005080149.tif 000018
【図８】
0005080149.tif 000019
【図９】
0005080149.tif 000020
【図１０】
0005080149.tif 000021
【図１１】
0005080149.tif 000022
【図１２】
0005080149.tif 000023
【図１３】
0005080149.tif 000024
【図１４】
0005080149.tif 000025
【図１５】
0005080149.tif 000026
【図１６】
0005080149.tif 000027
【図１７】
0005080149.tif 000028
【図１８】
0005080149.tif 000029
【図１９】
0005080149.tif 000030
【図２０】
0005080149.tif 000031
【図２１】
0005080149.tif 000032
【図２２】
0005080149.tif 000033
【図２３】
0005080149.tif 000034
【図２４】
0005080149.tif 000035